(57)【要約】【課題】外観検査のみで品種の識別を容易に行うことができ、印刷加工を要することなくマーカーを形成することができる積層コイル部品とその製造方法、及び積層コイル部品を外観のみで効率良く品種検査を行うことができる検査システムを実現する。【解決手段】内部電極１が部品素体２に埋設されると共に、該部品素体２の両端部には一対の外部電極３ａ、３ｂが形成されている。部品素体２は、第１の絶縁層４ａ〜４ｆと、該第１の絶縁層４ａ〜４ｆとは色味が異なる第２の絶縁層５ａ〜５ｃとからなる。第１の絶縁層４ａ〜４ｆ及び第２の絶縁層５ａ〜５ｃは、部品素体２の四側面のうち対向する両側面に表面露出している。第１の絶縁層４ａ〜４ｆ及び第２の絶縁層５ａ〜５ｃはシート工法で作製する。両側面が上面となるように積層コイル部品の姿勢を整え、第２の絶縁層５ａ〜５ｃの模様を認識して品種選別を行う。【選択図】図１
2019057614.tif 000002
【特許請求の範囲】
【請求項１】
複数の絶縁層が積層された部品素体に内部電極が埋設されると共に、該部品素体の両端部に外部電極が形成された積層コイル部品であって、
前記絶縁層は、第１の絶縁層と、該第１の絶縁層とは色味が異なる第２の絶縁層とを含むと共に、
前記第１及び第２の絶縁層は、前記部品素体の対向する両側面に表面露出していることを特徴とする積層コイル部品。
【請求項２】
厚みの異なる複数の前記第２の絶縁層が前記第１の絶縁層を介して積層されていることを特徴とする請求項１記載の積層コイル部品。
【請求項３】
厚みの厚い前記第２の絶縁層は、厚みの薄い前記第２の絶縁層が積層方向に複数隣接して一体化されていることを特徴とする請求項２記載の積層コイル部品。
【請求項４】
前記第２の絶縁層は、１つの層が２つ以上に分断され、かつ分断された間隙に前記第１の絶縁層を形成する絶縁材料が充填されていることを特徴とする請求項１乃至請求項３のいずれかに記載の積層コイル部品。
【請求項５】
前記第２の絶縁層は、突設部を有して表面露出していることを特徴とする請求項１乃至請求項４のいずれかに記載の積層コイル部品。
【請求項６】
前記突設部は、凸状に形成されていることを特徴とする請求項５記載の積層コイル部品。
【請求項７】
第２の絶縁層は、２つ以上の厚みが同一乃至略同一の層で構成されると共に、各々前記第２の絶縁層は、１つの層が２つ以上に分断され、かつ前記分断された間隙に前記第１の絶縁層を形成する絶縁材料が充填されていることを特徴とする請求項１記載の積層コイル部品。
【請求項８】
前記第１の絶縁層は磁性材料で形成されると共に、前記第２の絶縁層はガラス系材料で形成されていることを特徴とする請求項１乃至請求項７のいずれかに記載の積層コイル部品。
【請求項９】
第１の絶縁シートと、該第１の絶縁シートとは色味が異なる第２の絶縁シートとを含む複数の絶縁シートを作製する工程と、
前記第１の絶縁シートに導電性ペーストを付与して導電パターンを形成する工程と、
前記複数の絶縁シートを積層し、積層体ブロックを形成する工程と、
前記積層体ブロックを個片化し、対向する両側面が表面露出するように積層成形体を作製する工程と、
前記積層成形体を焼成して部品素体を作製する工程とを含むことを特徴とする積層コイル部品の製造方法。
【請求項１０】
前記積層体ブロックを形成する工程は、２つ以上の前記第２の絶縁シートが積層方向に隣接するように前記複数の絶縁シートを積層することを特徴とする請求項９記載の積層コイル部品の製造方法。
【請求項１１】
前記積層体ブロックを個片化したときに、前記第２の絶縁シートの対向する両側面が半円状の切欠部を形成して該切欠部に前記第１の絶縁シートの形成材料が充填されるように、前記第２の絶縁シートに孔を形成することを特徴とする請求項９又は請求項１０記載の積層コイル部品の製造方法。
【請求項１２】
前記積層体ブロックを個片化したときに、前記第１の絶縁シートの対向する両側面が半円状の切欠部を形成して該切欠部に前記第２の絶縁シートの形成材料が充填されるように、前記第１の絶縁シートに孔を形成することを特徴とする請求項９乃至請求項１１のいずれかに記載の積層コイル部品の製造方法。
【請求項１３】
請求項１乃至請求項８のいずれかに記載の積層コイル部品を構成する第１及び第２の絶縁層の表面露出面が特定面上に位置するように前記積層コイル部品の姿勢を整えた後、前記第２の絶縁層が形成する模様を認識し、該認識結果に基づいて前記積層コイル部品を選別することを特徴とする積層コイル部品の検査システム。
【発明の詳細な説明】
【技術分野】
【０００１】
本発明は積層コイル部品、積層コイル部品の製造方法、及び積層コイル部品の検査システムに関し、より詳しくは品種の選別を容易に行うことができる積層コイル部品とその製造方法、及び積層コイル部品の特性選別を行う積層コイル部品の検査システムに関する。
【背景技術】
【０００２】
今日、積層インダクタ等のチップ型の積層コイル部品は、各種電子機器に広範に搭載され、広く普及している。
【０００３】
この種の積層コイル部品では、外形寸法が略同様のものも多く存在しており、完成品の直流抵抗やインダクタンス等の特性のみで選別しても、類似の品種と特性が一部重複したり、また測定精度にも難があることから、所望の仕様製品とは異なる仕様の製品が出荷予定の最終製品中に混入するおそれがある。
【０００４】
そこで、従来より、積層コイル部品の所定部位に予めマーカーを付与し、生産ラインの検査工程で前記マーカーをカメラ等で撮像し、製品を選別することが行われている。
【０００５】
製品にマーカーを付与した積層コイル部品として、例えば、特許文献１には図１２に示すような積層インダクタが提案されている。  
【０００６】
すなわち、特許文献１には、積層によって内部導体１０１がコイル状に形成され、この内部導体１０１の始端と終端とが形成されて一対の引出導体１０２ａ、１０２ｂとなり、かつ、これらの引出導体１０２ａ、１０２ｂが互いに導出されて外部電極１０３ａ、１０３ｂに接続され、前記引出導体１０２ａ、１０２ｂのそれぞれの位置を示す各マーカー１０４ａ、１０４ｂが、表面に形成された積層インダクタを提案している。
【０００７】
この特許文献１では、部品素体（チップ本体）１０５の一軸線に対して対称となるように所定位置にマーカー１０４ａ、１０４ｂを印刷形成し、これにより積層インダクタの方向性を認識している。
【０００８】
また、特許文献２には、図１３に示すように、多数のシート層を積層して焼成することにより得た直方体形状の部品素体（チップ）１１１内に螺旋状のコイル導体（不図示）を有し、コイル導体の引出部の位置を示すためのマーカー層１１２、１１３をチップを構成する上面側シート層の内側と下面側シート層の内側にそれぞれ有し、各マーカー層１１２、１１３は部品素体１１１と同一幅を備えた矩形状を成し、各マーカー層１１２、１１３の部品素体１１１の側面側の２つの辺１１２ａ、１１２ｂ、１１３ａ、１１３ｂは部品素体１１１の２つの側面に露出し、かつ、部品素体１１１の端面側の１つの辺１１２ｃ、１１３ｃは部品素体１１１の端面よりも所定距離を隔てて内側に位置している積層インダクタが提案されている。
【０００９】
この特許文献２では、極めて薄い上下外層シートの一枚内側のシート層にマーカー層を印刷形成して該マーカー層１１２、１１３を部品素体１１１中に埋め込むことによってマーカー層１１２、１１３が透けて見えるようにし、これによりマーカー層１１２、１１３が剥離したり飛散することなく積層インダクタの方向性を認識できるようにしている。
【先行技術文献】
【特許文献】
【００１０】
【特許文献１】特許第３３５９８０２号公報（請求項１、図１等）
【特許文献２】特開２００５−１６６７４５号公報（請求項１、段落［００２４］、図１、３等）
【発明の概要】
【発明が解決しようとする課題】
【００１１】
しかしながら、上記特許文献１、２では、いずれもマーカー１０４ａ、１０４ｂ又はマーカー層１１２、１１３を印刷形成しているため、マーカー作製用の印刷ペーストや印刷工程が必要となり、製造工程の煩雑化を招くおそれがある。
【００１２】
また、方向性認識のためのマーカーのように比較的簡素なマーカーの場合は、特許文献１、２の方法で容易に形成することができるが、小型で多品種の積層コイル部品の品種の識別を行う場合には、種々の異なる種類のマーカーが必要となり、マーカーのバリエーション増加が要請される。
【００１３】
しかしながら、特許文献１、２のように印刷技術でマーカーのバリエーションを増加させようとした場合、微細で高度な加工技術が必要となり、加工難易度も高く、量産性やコスト面を考慮すると実用化は困難である。
【００１４】
また、特許文献１のように部品素体１０５の表層面にマーカー１０４ａ、１０４ｂを印刷形成した場合は、焼成後にバレル加工を行うとマーカー１０４ａ、１０４ｂが消失したり欠損するおそれがある。さらに下面側のマーカー１０４ｂを形成するためには、部品素体１０５を反転させてマーカー１０４ｂを印刷形成る必要があり、製造工程もより煩雑化するおそれがある。
【００１５】
本発明はこのような事情に鑑みなされたものであって、外観検査のみで品種の識別を容易に行うことができる積層コイル部品、印刷加工を要することなくマーカーを形成することができる積層コイル部品の製造方法、及び積層コイル部品を外観のみで効率良く品種検査を行うことができる積層コイル部品の検査システムを提供することを目的とする。
【課題を解決するための手段】
【００１６】
上記目的を達成するために本発明に係る積層コイル部品は、複数の絶縁層が積層された部品素体に内部電極が埋設されると共に、該部品素体の両端部に外部電極が形成された積層コイル部品であって、前記絶縁層は、第１の絶縁層と、該第１の絶縁層とは色味が異なる第２の絶縁層とを含むと共に、前記第１及び第２の絶縁層は、前記部品素体の対向する両側面に表面露出していることを特徴としている。
【００１７】
これにより第２の絶縁層が有する模様でマーカーを形成することができ、該マーカーの種類を認識することにより、品種識別を容易に行うことができる。
【００１８】
そして、本発明は第２の絶縁層の形態を種々異ならせることにより、様々なマーカー態様を実現することが可能となり、マーカーのバリエーションが豊富な積層コイル部品を得ることができる。
【００１９】
すなわち、本発明の積層コイル部品は、厚みの異なる複数の前記第２の絶縁層が前記第１の絶縁層を介して積層されているのが好ましく、この場合、厚みの厚い前記第２の絶縁層は、厚みの薄い前記第２の絶縁層が積層方向に複数隣接して一体化されているのが好ましい。
【００２０】
これにより第２の絶縁層は対向する両側面に縞状の模様が形成されることから、第２の絶縁層の厚みや本数と積層コイル部品の品種とを関連付けることにより、積層コイル部品の品種を容易に選別することができる。
【００２１】
さらに、本発明の積層コイル部品は、前記第２の絶縁層は、１つの層が２つ以上に分断され、かつ分断された間隙に前記第１の絶縁層を形成する絶縁材料が充填されているのも好ましい。
【００２２】
これによっても分断箇所を異ならせたり、或いは上述した厚みの異なる第２の絶縁層を組み合わせて各積層コイル部品の品種と関連付けることにより、様々な品種の積層コイル部品を容易に選別することが可能となる。
【００２３】
また、本発明の積層コイル部品は、前記第２の絶縁層が、突起部を有して表面露出しているのが好ましく、この場合、前記突起部は、凸状に形成されているのが好ましい。
【００２４】
これによっても分断箇所を異ならせたり、或いは上述した厚みの異なる第２の絶縁層や分断箇所を有する第２の絶縁層を組み合わせて各積層コイル部品の品種と関連付けることにより、多品種の積層コイル部品の品種を容易に選別することができる。
【００２５】
さらに、本発明の積層コイル部品は、第２の絶縁層が、２つ以上の厚みが同一乃至略同一の層で構成されると共に、各々前記第２の絶縁層は、１つの層が２つ以上に分断され、かつ前記分断された間隙に前記第１の絶縁層を形成する絶縁材料が充填されているのも好ましい。
【００２６】
これにより、例えば、多数の分断箇所を部品素体の対向する両側面に千鳥状に形成し、これらを積層コイル部品の品種と関連付けることにより、更にマーカーのバリエーションを増加させることができ、多品種の積層コイル部品の選別を容易に行うことができる。
【００２７】
また、本発明の積層コイル部品は、前記第１の絶縁層は磁性材料で形成されると共に、前記第２の絶縁層はガラス系材料で形成されているのが好ましい。
【００２８】
これにより、磁性材料は黒色系、ガラス系材料は透明系をそれぞれ呈することから、これら磁性材料及びガラス系材料を使用することにより、第２の絶縁層は第１の絶縁層とは異なる色味を実現することができる。
【００２９】
本発明に係る積層コイル部品の製造方法は、第１の絶縁シートと、該第１の絶縁シートとは色味が異なる第２の絶縁シートとを含む複数の絶縁シートを作製する工程と、前記第１の絶縁シートに導電性ペーストを付与して導電パターンを形成する工程と、前記複数の絶縁シートを積層し、積層体ブロックを形成する工程と、前記積層体ブロックを個片化し、対向する両側面が表面露出するように積層成形体を作製する工程と、前記積層成形体を焼成して部品素体を作製する工程とを含むことを特徴としている。
【００３０】
これにより微細な印刷加工技術を要することもなく、対向する両側面に種々の異なる模様が形成された積層コイル部品を容易に得ることができる。
【００３１】
また、本発明の積層コイル部品の製造方法では、前記積層体ブロックを形成する工程は、２つ以上の前記第２の絶縁シートが積層方向に隣接するように前記複数の絶縁シートを積層するのが好ましい。
【００３２】
また、本発明の積層コイル部品の製造方法は、前記積層体ブロックを個片化したときに、前記第２の絶縁シートの対向する両側面が半円状の切欠部を形成して該切欠部に前記第１の絶縁シートの形成材料が充填されるように、前記第２の絶縁シートに孔を形成するのが好ましい。
【００３３】
さらに、本発明の積層コイル部品の製造方法は、前記積層体ブロックを個片化したときに、前記第１の絶縁シートの対向する両側面が半円状の切欠部を形成して該切欠部に前記第２の絶縁シートの形成材料が充填されるように前記第１の絶縁シートに孔を形成するのも好ましい。
【００３４】
このように積層体ブロックを個片化したときに、第１の絶縁シート又は第２の絶縁シートの対向する両側面が半円状の切欠部を形成して該切欠部に前記第２の絶縁シート又は前記第１の絶縁シートの形成材料が充填されるように第２の絶縁シート又は第１の絶縁シートに予め孔を形成することにより、両側面には品種識別のための様々な模様を有する積層コイル部品を容易に得ることができる。
【００３５】
本発明に係る積層コイル部品の検査システムは、上述したいずれかに記載の積層コイル部品を構成する第１及び第２の絶縁層の表面露出面が特定面上に位置するように前記積層コイル部品の姿勢を整えた後、前記第２の絶縁層が形成する模様を認識し、該認識結果に基づいて前記積層コイル部品の特性を選別することを特徴としている。
【発明の効果】
【００３６】
本発明の積層コイル部品によれば、複数の絶縁層が積層された部品素体に内部電極が埋設されると共に、該部品素体の両端部に外部電極が形成された積層コイル部品であって、前記絶縁層は、第１の絶縁層と、該第１の絶縁層とは色味が異なる第２の絶縁層とを含むと共に、前記第１及び第２の絶縁層は、前記部品素体の対向する両側面に表面露出しているので、第２の絶縁層が有する模様がマーカーを形成することから、第２の絶縁層の形態（本数、厚み、分断箇所や突起部の形成等）を種々異ならせ、第２の絶縁層の形態と積層コイル部品の品種とを関連付けることにより、積層コイル部品の品種を容易に識別することができる。
【００３７】
本発明の積層コイル部品の製造方法によれば、第１の絶縁シートと、該第１の絶縁シートとは色味が異なる第２の絶縁シートとを含む複数の絶縁シートを作製する工程と、前記第１の絶縁シートに導電性ペーストを付与して導電パターンを形成する工程と、前記複数の絶縁シートを積層し、積層体ブロックを形成する工程と、前記積層体ブロックを個片化し、対向する両側面が表面露出するように積層成形体を作製する工程と、前記積層成形体を焼成して部品素体を作製する工程とを含むので、微細な印刷加工技術を要することもなく、側面に種々の異なる模様を有する積層コイル部品を容易に得ることができる。
【００３８】
本発明の積層コイル部品の検査システムによれば、上述したいずれかに記載の積層コイル部品を構成する第１及び第２の絶縁層の表面露出面が特定面上に位置するように前記積層コイル部品の姿勢を整えた後、前記第２の絶縁層が形成する模様を認識し、該認識結果に基づいて前記積層コイル部品の品種を選別するので、部品素体の両側面に第２の絶縁層が表面露出していることから、積層コイル部品の姿勢がランダムに搬送されてきても時計回り方向又は反時計回り方向に９０°転回するのみで姿勢を整えることができることができ、第２の絶縁層の模様を認識し選別することより、小型・多品種の積層コイル部品に対し効率良く品種の選別を行うことができる。
【図面の簡単な説明】
【００３９】
【図１】本発明に係る積層コイル部品の一実施の形態（第１の実施の形態）を模式的に示す正面図である。
【図２】第１の実施の形態に係る積層コイル部品の製造方法を説明するための要部分解斜視図である。
【図３】本発明に係る積層コイル部品の第２の実施の形態を模式的に示す正面図である。
【図４】第２の実施の形態に係る積層コイル部品の製造方法を説明するための要部分解斜視図である。
【図５】本発明に係る積層コイル部品の第３の実施の形態を模式的に示す正面図である。
【図６】第３の実施の形態に係る積層コイル部品の製造方法を説明するための要部分解斜視図である。
【図７】本発明に係る積層コイル部品の第４の実施の形態を模式的に示す正面図である。
【図８】第４の実施の形態に係る積層コイル部品の製造方法を説明するための要部分解斜視図である。
【図９】本発明に係る積層コイル部品の検査システムの一実施の形態を示すシステム構成図である。
【図１０】本発明の積層コイル部品の検査手順の要部を説明するための説明図である。
【図１１】従来の積層コイル部品の検査手順の要部を説明するための説明図である。
【図１２】特許文献１に記載された積層コイル部品の斜視図である。
【図１３】特許文献２に記載された積層コイル部品の斜視図である。
【発明を実施するための形態】
【００４０】
次に、本発明の実施の形態を詳説する。
【００４１】
図１は、本発明に係る積層コイル部品の一実施の形態（第１の実施の形態）を模式的に示す正面図である。
【００４２】
この積層コイル部品は、ストレートコイルからなる内部電極１が部品素体２に埋設されると共に、該部品素体２の両端部には一対の外部電極３ａ、３ｂが形成されている。
【００４３】
具体的には、部品素体２は、第１の絶縁層４ａ〜４ｆと、該第１の絶縁層４ａ〜４ｆとは色味が異なる第２の絶縁層５ａ〜５ｃとからなる複数の絶縁層が積層された積層焼結体からなり、これら第１の絶縁層４ａ〜４ｆ及び第２の絶縁層５ａ〜５ｃは、部品素体２の四側面のうち対向する両側面に表面露出している。そして、本第１の実施の形態では、第２の絶縁層５ａ〜５ｃにより形成される縞状の模様がマーカーとして作用し、前記両側面がマーカー面９ａ、９ｂを形成している。
【００４４】
すなわち、本第１の実施の形態では、第２の絶縁層５ａ〜５ｃはいずれも同一乃至略同一の厚みを有し、第２の絶縁層５ｂと第２の絶縁層５ｃは積層方向に隣接して一体化され、第２の絶縁層５ａに比べ厚みの厚い第２の絶縁層５ｄが形成されている。そして、第２の絶縁層５ａは第１の絶縁層４ａと第１の絶縁層４ｂとで狭持され、前記第２の絶縁層５ａよりも厚みの厚い第２の絶縁層５ｄは第１の絶縁層４ｂと第１の絶縁層４ｃとで狭持されている。これにより第２の絶縁層５ａと第２の絶縁層５ｄとは厚みの異なる縞状の模様が形成され、斯かる模様を積層コイル部品の品種と関連付けることにより、所望仕様の積層コイル部品と所望仕様以外の積層コイル部品とを選別することができる。
【００４５】
このように本第１の実施の形態では、第１の絶縁層４ａ〜４ｆ及び該第１の絶縁層４ａ〜４ｆとは色味が異なる第２の絶縁層５ａ、５ｄを部品素体２の対向する両側面に表面露出させており、しかも第２の絶縁層５ａと第２の絶縁層５ｄとは厚みが異なることから、第２の絶縁層５ａ、５ｄが描く縞状の模様を認識することにより、前記模様と関連付けられた積層コイル部品の品種であると選別することができ、これにより所望仕様以外の積層コイル部品が最終製品中に混入するのを極力回避することが可能となる。
【００４６】
ここで、色味が異なる材料としては、第１の絶縁層４ａ〜４ｆには、黒色系の磁性材料を好んで使用することができ、第２の絶縁層５ａ〜５ｃには、透明系のガラス系材料を好んで使用することができる。
【００４７】
磁性材料としては、例えば、Ｆｅ２Ｏ３が４０〜４９．５ｍｏｌ％、ＺｎＯが５〜３５ｍｏｌ％、ＣｕＯが６〜１２ｍｏｌ％、残部がＮｉＯ及び不可避不純物を含む添加物からなるＮｉ−Ｚｎ−Ｃ系フェライト材料を好んで使用することができる。  
【００４８】
また、ガラス系材料としては、例えば、ＳｉＯ２が７０〜８５ｗｔ％、Ｂ２Ｏ３が１０〜２５ｗｔ％、Ａｌ２Ｏ３及びＫ２Ｏがそれぞれ５ｗｔ％以下のホウケイ酸ガラス系材料を使用することができ、フィラー成分として適量の石英、フォルステライト、アルミナを含有させるのもより好ましい。
【００４９】
次に、第１の絶縁層４ａ〜４ｆに磁性材料を使用し、第２の絶縁層５ａ、５ｄにガラス系材料を使用した場合について、上記積層コイル部品の製造方法を詳述する。
【００５０】
まず、磁性材料を作製する。すなわち、Ｆｅ２Ｏ３、ＮｉＯ、ＺｎＯ、ＣｕＯ等のフェライト素原料を用意する。次いで、このフェライト素原料を所定量秤量した後、ＰＳＺ（部分安定化ジルコニア）ボール等の粉砕媒体と共にポットミルに投入し、湿式で十分に混合粉砕し、乾燥させた後、７００℃程度の温度で２時間仮焼し、フェライト粉末を得る。
【００５１】
次に、このフェライト粉末をポリビニルブチラール等の有機バインダ、エタノール及び／又はトルエン等の有機溶剤、及び上記粉砕媒体と共にポットミルに投入して十分に混合粉砕し、これによりスラリー状の磁性材料を作製する。
【００５２】
次に、ガラス系材料を作製する。すなわち、ＳｉＯ２、Ｂ２Ｏ３、Ａｌ２Ｏ３、Ｋ２Ｏ等のガラス素原料を用意する。次いで、このガラス素原料を所定量秤量した後、この秤量物を白金坩堝に投入し、１５００〜１６００℃程度の温度で溶融させてガラス融液を作製し、その後、このガラス融液を急冷した後、粉砕し、これによりガラス粉末を得る。
【００５３】
次に、このガラス粉末の必要に応じてフォルステライト等のフィラー成分を添加し、さらにポリビニルブチラール等の有機バインダ、エタノール及び／又はトルエン等の有機溶剤、及び上記粉砕媒体と共にポットミルに投入して十分に混合粉砕し、これによりスラリー状のガラス系材料を作製する。
【００５４】
図２は、積層コイル部品の中間生成物である積層成形体の分解斜視図である。
【００５５】
尚、本実施の形態では、大判の積層体ブロックを作製して該積層体ブロックを個片化する多数個取り方式で積層成形体を作製しているが、説明の都合上、個片化された積層成形体を図示している。
【００５６】
すなわち、上記スラリー状の磁性材料に対しドクターブレード法等を使用して成形加工し、厚みが１５〜６０μｍの磁性体シート（第１の絶縁シート）６ａ〜６ｆを作製する。
【００５７】
次いで、Ａｇ等を主成分とする導電性ペーストを用意し、この導電性ペーストを使用して磁性体シート６ｄにスクリーン印刷等を施し、直線状の導電パターン７を作製する。
【００５８】
また、上記スラリー状のガラス系材料に対しドクターブレード法等を使用して成形加工し、厚みが１５〜６０μｍのガラスシート（第２の絶縁シート）８ａ〜８ｃを作製する。
【００５９】
次いで、ガラスシート８ａが磁性体シート６ａと磁性体シート６ｂとに狭持され、ガラスシート８ｂ及びガラスシート８ｃが磁性体シート６ｂと磁性体シート６ｃとに狭持され、さらに磁性体シート６ｄが磁性体シート６ｃと磁性体シート６ｅとに狭持されるように磁性体シート６ａ〜６ｆ及びガラスシート８ａ〜８ｃを積層し、加熱・加圧して積層体ブロックを作製し、これを個片化して積層成形体を得る。
【００６０】
次に、この積層成形体を焼成炉に収容し、９００℃程度の温度で２時間焼成処理を行う。その後、積層成形体の表面をバレル研磨等で研磨処理し、角部がＲ形状となるように加工する。これによりストレートコイルからなる内部電極１が埋設された部品素体２を作製する。
【００６１】
その後、Ａｇ等を主成分とする導電性ペーストを用意し、該導電性ペーストを部品素体１の両端部に塗布して８００℃程度で焼付処理を施し下地電極を形成した後、めっき法等を使用して下地電極上にＮｉやＳｎの皮膜を有する三層構造の外部電極３ａ、３ｂを形成し、これにより第１の実施の形態の積層コイル部品が作製される。
【００６２】
このように本製造方法は、磁性体シート６ａ〜６ｆと、該磁性体シート６ａ〜６ｆとは色味が異なるガラスシート８ａ〜８ｃとを作製する工程と、磁性体シート６ｄに導電性ペーストを付与して導電パターン７を形成する工程と、磁性体シート６ａ〜６ｆ及びガラスシート８ａ〜８ｃを積層し、積層体ブロックを形成する工程と、前記積層体ブロックを個片化し、対向する両側面が表面露出するように積層成形体を作製する工程と、前記積層成形体を焼成して部品素体２を作製する工程とを含み、ガラスシート８ｂとガラスシート８ｃが積層方向に隣接するように積層するので、微細な印刷加工技術を要することもなく、対向する両側面に厚みの異なる縞状の模様が形成された積層コイル部品を容易に得ることができる。
【００６３】
図３は、本発明に係る積層コイル部品の第２の実施の形態を模式的に示す正面図である。
【００６４】
この積層コイル部品は、第１の実施の形態と同様、ストレートコイルからなる内部電極１９が部品素体１１に埋設されると共に、該部品素体１１の両端部には一対の外部電極３ａ、３ｂが形成されている。
【００６５】
具体的には、部品素体１１は、第１の絶縁層１２ａ〜１２ｅと、該第１の絶縁層１２ａ〜１２ｅとは色味が異なる第２の絶縁層１３ａ、１３ｂとからなる複数の絶縁層が積層された積層焼結体からなり、これら第１の絶縁層１２ａ〜１２ｅ及び第２の絶縁層１３ａ、１３ｂは、部品素体１１の四側面のうち対向する両側面に表面露出されている。
【００６６】
また、本第２の実施の形態では、第２の絶縁層１３ｂが２つに分断され、分断された間隙１４には第１の絶縁層１２ａ〜１２ｅを形成する絶縁部材が充填されている。そして、第２の絶縁層１３ａ、１３ｂにより形成される模様がマーカーとして作用し、前記両側面がマーカー面２０ａ、２０ｂを形成している。
【００６７】
本第２の実施の形態では、第１の実施の形態と同様、第１の絶縁層１２ａ〜１２ｅとは色味違いの第２の絶縁層１３ａ、１３ｂが、前記第１の絶縁層１２ａ〜１２ｅと共に部品素体１１の両側面に表面露出させているので、第２の絶縁層１３ａ、１３ｂが有する模様を認識することにより、品種を容易に認識できる。したがって、前記模様を積層コイル部品の品種と関連付けることにより、所望仕様と所望仕様外の積層コイル部品を容易に選別することができる。
【００６８】
尚、色味の異なる材料としては、第１の実施の形態と同様、第１の絶縁層１２ａ〜１２ｅには、黒色系の磁性材料を好んで使用することができ、第２の絶縁層１３ａ、１３ｂには、透明系のガラス系材料を使用することができる。
【００６９】
次に、第１の絶縁層１２ａ〜１２ｅに磁性材料を使用し、第２の絶縁層１３ａ、１３ｂにガラス系材料を使用した場合について、上記積層コイル部品の製造方法を詳述する。
【００７０】
まず、第１の実施の形態と同様、磁性材料及びガラス材料を作製する。
【００７１】
図４は、積層コイル部品の中間生成物である積層成形体の分解斜視図である。
【００７２】
尚、この図４においても、説明の都合上、個片化された積層成形体を図示している。
【００７３】
すなわち、第１の実施の形態と同様、磁性体シート（絶縁シート）１５ａ〜１５ｅを作製し、磁性体シート１５ｄの表面に直線状の導電パターン１６を作製する。
【００７４】
次いで、上記スラリー状のガラス材料を使用してガラスシート１７ａ、１７ｂを作製する。そして、積層体ブロックを個片化したときに、ガラスシート１７ｂの対向する両側面が半円状の切欠部を有するように、ガラスシート１７ｂにレーザ照射等で孔を形成する。これにより後述する圧着処理前の積層体ブロックを積層成形体単位で示すと、図４に示すように、ガラスシート１７ｂの両側面に半円形状の切欠部１８ａ、１８ｂが形成されることとなる。
【００７５】
次いで、ガラスシート１７ａが磁性体シート１５ａと磁性体シート１５ｂとに狭持され、ガラスシート１７ｂが磁性体シート１５ｂと磁性体シート１５ｃとに狭持され、さらに磁性体シート１５ｄが磁性体シート１５ｃと磁性体シート１５ｅとに狭持されるように磁性体シート１５ａ〜１５ｅ及びガラスシート１７ａ、１７ｂを積層し、加熱・加圧して積層体ブロックを作製する。この際、加熱・加圧時の圧着処理で孔には磁性体シート１５ｂ、１５ｃを形成する磁性材料が充填される。そして、この積層体ブロックを個片化し、積層成形体を得る。
【００７６】
その後は第１の実施の形態と同様の方法・手順で部品素体１１を作製し、更には外部電極３ａ、３ｂを形成し、これにより第２の実施の形態の積層コイル部品が作製される。
【００７７】
このように本製造方法においても、大判のガラスシート１７ｂに予め孔を形成して積層体ブロックを作製しておくことにより、前記積層体ブロックを個片化したときは磁性体シート１５ｂ、１５ｃを形成する磁性材料がガラスシート１７ｂの切欠部１８ａ、１８ｂに充填されることから、微細な印刷加工を要することなく、対向する両側面のマーカー面２０ａ、２０ｂには品種識別のための様々な模様を有する積層コイル部品を容易に得ることができる。
【００７８】
図５は、本発明に係る積層コイル部品の第３の実施の形態を模式的に示す正面図である。
【００７９】
この積層コイル部品は、第１の実施の形態と同様、ストレートコイルからなる内部電極２９が部品素体２１に埋設されると共に、該部品素体２１の両端部には一対の外部電極３ａ、３ｂが形成されている。
【００８０】
具体的には、部品素体２１は、第１の絶縁層２２ａ〜２２ｅと、該第１の絶縁層２２ａ〜２２ｅとは色味が異なる第２の絶縁層２３ａ〜２３ｃとからなる複数の絶縁層が積層された積層焼結体からなり、これら第１の絶縁層２２ａ〜２２ｅ及び第２の絶縁層２３ａ〜２３ｃは、部品素体２１の四側面のうち対向する両側面に表面露出されている。
【００８１】
また、本第３の実施の形態では、第１の実施の形態と同様、第２の絶縁層２３ａ〜２３ｃはいずれも同一乃至略同一の厚みを有し、第２の絶縁層２３ｂと第２の絶縁層２３ｃは積層方向に隣接して一体化され、第２の絶縁層２３ａに比べ厚みの厚い第２の絶縁層２３ｄが形成されている。さらに、第２の絶縁層２３ｄは、第１の絶縁層２２ｃとの界面に凸状の突起部２４が形成されている。すなわち、本第３の実施の形態では、突起部２４を含む第２の絶縁層２３ａ、２３ｄにより形成される模様がマーカーとして作用し、対向する両側面がマーカー面３０ａ、３０ｂを形成している。そして、このようにして形成された模様を積層コイル部品の品種を関連付けることにより、積層コイル部品の品種を選別することができる。
【００８２】
このように本第３の実施の形態でも、第１及び第２の実施の形態と同様、第２の絶縁層２３ａ、２３ｄが描く模様を認識することにより、品種の異なる積層コイル部品が混入するのを極力回避することが可能となる。
【００８３】
尚、色味の異なる材料としては、第１及び第２の実施の形態と同様、第１の絶縁層２２ａ〜２２ｅには、黒色系の磁性材料を好んで使用することができ、突起部２４を含む第２の絶縁層２３ａ、２３ｄには、透明系のガラス系材料を好んで使用することができる。
【００８４】
次に、第１の絶縁層２２ａ〜２２ｅに磁性材料を使用し、第２の絶縁層２３ａ、２３ｄにガラス系材料を使用した場合について、上記積層コイル部品の製造方法を詳述する。
【００８５】
まず、第１及び第２の実施の形態と同様、磁性材料及びガラス材料を作製する。
【００８６】
図６は、積層コイル部品の中間生成物である積層成形体の分解斜視図である。
【００８７】
尚、この図６においても、説明の都合上、個片化された積層成形体を図示している。
【００８８】
すなわち、第１及び第２の実施の形態と同様、磁性体シート（第１の絶縁シート）２５ａ〜２５ｅを作製し、磁性体シート２５ｄの表面に直線状の導電パターン２６を作製する。そして、積層体ブロックを個片化したときに、磁性体シート２５ｃの対向する両側面が半円状の切欠部を有するように、磁性体シート２５ｃにレーザ照射等で孔を形成する。これにより後述する圧着処理前の積層体ブロックを積層成形体単位で示すと、図６に示すように、磁性体シート２５ｃの両側面に半円形状の切欠部２７ａ、２７ｂが形成されることになる。
【００８９】
次いで、ガラス系材料を使用してガラスシート（第２の絶縁シート）２８ａ〜２８ｃを作製する。
【００９０】
そして、ガラスシート２８ａが磁性体シート２５ａと磁性体シート２５ｂとに狭持され、ガラスシート２８ｂ及びガラスシート２８ｃが磁性体シート２５ｂと磁性体シート２５ｃとに狭持され、さらに磁性体シート２５ｄが磁性体シート２５ｃと磁性体シート２５ｅとに狭持されるように磁性体シート２５ａ〜２５ｅ及びガラスシート２８ａ〜２８ｃを積層し、加熱・加圧して積層体ブロックを得る。この際、加熱・加圧時の圧着処理で孔にはガラスシート２８ｃを形成するガラス系材料が充填される。そして、この積層体ブロックを個片化し、積層成形体を得る。
【００９１】
その後は第１の実施の形態と同様の方法・手順で部品素体２１を作製し、更には外部電極３ａ、３ｂを形成し、これにより第３の実施の形態の積層コイル部品が作製される。
【００９２】
このように本製造方法においても、大判の磁性体シート２５ｃに予め孔を形成して積層体ブロックを作製しておくことにより、前記積層体ブロックを個片化したときはガラスシート２８ｃを形成するガラス材料が磁性体シート２５ｃの切欠部２７ａ、２７ｂに充填されることから、微細な印刷加工を要することなく、対向する両側面のマーカー面３０ａ、３０ｂには品種識別のための様々な模様を有する積層コイル部品を容易に得ることができる。
【００９３】
図７は、本発明に係る積層コイル部品の第４の実施の形態を模式的に示す正面図である。
【００９４】
この積層コイル部品は、第１の実施の形態と同様、ストレートコイルからなる内部電極３９が部品素体３１に埋設されると共に、該部品素体３１の両端部には一対の外部電極３ａ、３ｂが形成されている。
【００９５】
具体的には、部品素体３１は、第１の絶縁層３２ａ〜３２ｇと、該第１の絶縁層３２ａ〜３２ｇとは色味が異なる第２の絶縁層３３ａ〜３３ｄとからなる複数の絶縁層が積層された積層焼結体からなり、これら第１の絶縁層３２ａ〜３２ｇ及び第２の絶縁層３３ａ〜３３ｄは、部品素体３１の四側面のうち対向する両側面に表面露出されている。
【００９６】
また、本第４の実施の形態では、第１の絶縁層３２ａ〜３２ｇと第２の絶縁層３３ａ〜３３ｄとが略交互に積層されると共に、第２の絶縁層３３ａ〜３３ｄの各層が、２つ又は３つに分断された形態を有しており、分断された間隙には第１の絶縁層３２ａ〜３２ｇの形成材料が充填されている。
【００９７】
そして、第２の絶縁層３３ａ〜３３ｄにより形成される模様がマーカーとして作用し、対向する両側面がマーカー面４０ａ、４０ｂを形成している。
【００９８】
このように本第４の実施の形態においても、第１〜第３の実施の形態と同様、第１の絶縁層３２ａ〜３２ｇとは色味の異なる第２の絶縁層３３ａ〜３３ｄが、前記第１の絶縁層３２ａ〜３２ｇと共に部品素体３１の両側面に表面露出させているので、第２の絶縁層３３ａ〜３３ｄが有する模様を認識することにより、品種を容易に識別できる。したがって、これらを積層コイル部品の品種と関連付けることにより、積層コイル部品の品種を容易に選別することが可能となる。
【００９９】
尚、色味が異なる材料としては、第１〜第３の実施の形態と同様、第１の絶縁層３２ａ〜３２ｇには、黒色系の磁性材料を好んで使用することができ、第２の絶縁層３３ａ〜３３ｄには、透明系のガラス系材料を使用することができる。
【０１００】
次に、第１の絶縁層３２ａ〜３２ｇに磁性材料を使用し、第２の絶縁層３３ａ〜３３ｄにガラス系材料を使用した場合について、上記積層コイル部品の製造方法を詳述する。
【０１０１】
まず、第１及び第２の実施の形態と同様、磁性材料及びガラス材料を作製する。
【０１０２】
図８は、積層コイル部品の中間生成物である積層成形体の分解斜視図である。
【０１０３】
尚、この図８においても、説明の都合上、個片化された積層成形体を図示している。
【０１０４】
すなわち、第１の実施の形態と同様、磁性体シート（第１の絶縁シート）３５ａ〜３５ｇを作製し、磁性体シート３５ｄの表面に直線状の導電パターン３６を作製する。
【０１０５】
次いで、上記スラリー状のガラス材料を使用してガラスシート（第２の絶縁シート）３７ａ〜３７ｄを作製する。そして、積層体ブロックを個片化したときに、ガラスシート３７ａ〜３７ｄの対向する両側面が２つ又は４つの半円形状の切欠部を有するように、ガラスシート３７ａ〜３７ｄにレーザ照射等で孔を形成する。これにより後述する圧着処理前の積層体ブロックを積層成形体単位で示すと、図８に示すように、ガラスシート３７ａ〜３７ｄの両側面に半円形状の切欠部３８ａ〜３８ｌが形成されることになる。
【０１０６】
次いで、ガラスシート３７ａが磁性体シート３５ａと磁性体シート３５ｂとに狭持され、ガラスシート３７ｂが磁性体シート３５ｃと磁性体シート３５ｄとに狭持され、さらにガラスシート３７ｃが磁性体シート３５ｄと磁性体シート３５ｅとに狭持され、ガラスシート３７ｄが磁性体シート３５ｆと磁性体シート３５ｇとに狭持されるように磁性体シート３５ａ〜３５ｇ及びガラスシート３７ａ〜３７ｄを積層し、加熱・加圧して積層体ブロックを得る。この際、加熱・加圧時の圧着処理で孔には磁性体シート３５ａ〜３５ｇを形成する磁性材料が充填される。そして、この積層体ブロックを個片化し、積層成形体を得る。
【０１０７】
その後は第１の実施の形態と同様の方法・手順で部品素体３１を作製し、更には外部電極３ａ、３ｂを形成し、これにより第４の実施の形態の積層コイル部品が作製される。
【０１０８】
このように本製造方法においても、大判のガラスシート３７ａ〜３７ｄの所定箇所に予め孔を形成して積層体ブロックを作製しておくことにより、積層体ブロックを個片化したときは磁性体シート３５ａ〜３５ｇを形成する磁性材料がガラスシート３７ａ〜３７ｄの切欠部３８ａ〜３８ｌに充填されることから、微細な印刷加工を要することなく、対向する両側面のマーカー面４０ａ、４０ｂには品種識別のための様々な模様を有する積層コイル部品を容易に得ることができる。
【０１０９】
図９は積層コイル部品の検査システムの一実施の形態を示すシステム構成図である。
【０１１０】
本検査システムは、積層コイル部品４１を矢印Ａ方向に搬送する搬送ベルト４２と、積層コイル部品４１のマーカー面が上面側に位置するように積層コイル部品４１の姿勢を整える部品整列部４３と、前記マーカー面を撮像する第１の撮像装置４４と、該第１の撮像装置４４の撮像結果に基づいて前記積層コイル部品４１の品種を選別する選別部４５とを備えている。
【０１１１】
また、部品整列部４３は、積層コイル部品４１の外観を撮像する第２の撮像装置４６と、該第２の撮像装置４６の撮像結果に基づき積層コイル部品４１を時計回り方向に転回可能とする回転機構（不図示）とを備えている。
【０１１２】
上記検査システムでは、積層コイル部品４１が，搬送ベルト４２を介して矢印Ａ方向に搬送され部品整列部４３に達すると、第２の撮像装置４６が駆動して積層コイル部品４１の外観を撮像する。この場合、図１０（ａ）に示すように、対向する両側面のマーカー面４７ａ、４７ｂがｘｙ平面上に位置して第２の撮像装置４６と対向している場合は、積層コイル部品４１はそのまま矢印Ｂ方向に搬送される。
【０１１３】
一方、図１０（ｂ）（ｉ）に示すように、マーカー面４７ａ、４７ｂがｘｚ平面上に位置して第２の撮像装置４６と対向していない場合は、図１０（ｂ）（ii）に示すように、回転機構を介して積層コイル部品４１を時計回り方向に９０°転回させ、マーカー面４７ａ、４７ｂが第２の撮像装置４６と対向するように積層コイル部品４１の姿勢を整え、その後、積層コイル部品４１は矢印Ｂ方向に搬送される。
【０１１４】
その後、第１の撮像装置４４でマーカー面４７ａを撮像して第２の絶縁層が有する模様を認識し、これにより品種が選別され、製品ロットに合致した仕様の積層コイル部品４１は矢印Ｃ方向に搬送され、仕様が合致しない積層コイル部品は矢印Ｄ方向から排出される。
【０１１５】
このように本検査システムでは、積層コイル部品４１の対向する両側面が同一模様を有するマーカー面４７ａ、４７ｂを形成することから、積層コイル部品４１の姿勢がランダムに搬送ベルト４２上を搬送してきても、時計回り方向に１回だけ９０°転回させるのみで積層コイル部品４１の姿勢を整えることができる。
【０１１６】
図１１は、積層コイル部品（部品素体）の四側面のうち、一側面のみにマーカーが付与されている場合を示している。
【０１１７】
すなわち、図１１（ａ）に示すように、マーカー面４９がｘｙ平面上に位置し、第２の撮像装置４６と対向している場合は、積層コイル部品４８をそのまま矢印Ｂ方向に搬送することができる。また、図１１（ｂ）（iii）に示すように、マーカー面４９がｘｚ平面に位置し表側面位置する場合は、時計回り方向に１回９０°転回するのみで積層コイル部品４８の姿勢を整えることができる。しかしながら、図１１（ｂ）（ii）に示すように、マーカー面４９が底面に位置する場合は、時計回り方向に２回９０°転回する必要があり、図１１（ｂ）（i）に示すように、マーカー面４９が裏側面に位置する場合は、時計回り方向に３回９０°転回する必要があり、検査工程の迅速化に支障が生じるおそれがある。
【０１１８】
これに対し本発明の積層コイル部品４１は、対向する両側面がマーカー面４７ａ、４７ｂとされているので、マーカー面４７ａ、４７がｘｚ面上にあって積層コイル部品４１の姿勢が整っていない場合であっても、時計回り方向に１回だけ９０°転回することにより積層コイル部品４１の姿勢を整えることができ、検査工程の効率化を図ることができ、所望仕様の積層コイル部品４１を容易かつ迅速に選別することができる。
【０１１９】
尚、本発明は上記実施の形態に限定されるものではなく、要旨を逸脱しない範囲において種々変更可能である。すなわち、上記各実施の形態は、本発明を実現するための例示であって、互いに色味の異なる第１及び第２の絶縁層が対向する両側面に表面露出していればよく、第２の絶縁層によって形成される模様は上記実施の形態以外にも様々のバリエーションが可能であり、斯かるバリエーションを増やすことにより、より多品種の積層コイル部品の選別に対処することが可能である。
【０１２０】
また、上記実施の形態では、色味が異なる絶縁性材料として磁性材料とガラス系材料の組み合わせを例示したが、特性を損なわない範囲で様々な組み合わせが可能である。
【０１２１】
また、上記実施の形態で詳述した検査システムでは、回転機構は時計回りに転回可能としているが、対向する両側面にマーカーが形成されることから、反時計回りに転回させても、１回の転回で積層コイル部品の姿勢を整えることができる。
【０１２２】
また、上記実施の形態では、内部電極１、１９、２９、３９がストレートコイルで形成されているが、平面的な渦巻き型、立体的なスパイラルコイルに適用でいるのはいうまでもなく、また、ＬＣ複合部品にも適用可能である。特に、内部電極をスパイラルコイルで形成した場合は、ビアホールの形成が必要となるが、本発明ではビアホール形成と第２〜第４の実施の形態におけるガラスシート又は磁性体シートの孔形成とを同一行程で行うことができ、製造工程の工程増を招くこともない。
【０１２３】
また、上記第２及び第４の実施の形態では、ガラスシートに孔を形成し、上記第３の実施の形態では、磁性体シートに孔を形成しているが、ガラスシート及び磁性体シートの双方に適宜孔を形成してバリエーションを更に増やすことが可能なのはいうまでもない。
【産業上の利用可能性】
【０１２４】
部品素体の対向する両側面にマーカーを付与して積層コイル部品の選別の効率化を図る。
【符号の説明】
【０１２５】
１、１９、２９、３９  内部電極
２、１１、２１、３１  部品素体
３ａ、３ｂ  外部電極
４ａ〜４ｆ、１２ａ〜１２ｅ、２２ａ〜２２ｅ、３２ａ〜３２ｆ  第１の絶縁層
５ａ〜５ｄ、１３ａ、１３ｂ、２３ａ〜２３ｄ、３３ａ〜３３ｄ  第２の絶縁層
６ａ〜６ｆ、１５ａ〜１５ｅ、２５ａ〜２５ｅ、３５ａ〜３５ｇ  磁性体シート（第１の絶縁シート）
８ａ〜８ｃ、１７ａ、１７ｂ、２８ａ〜２８ｃ、３７ａ〜３７ｄ  ガラスシート（第２の絶縁シート）
１８ａ、１８ｂ、２７ａ、２７ｂ、３８ａ〜３８ｌ  切欠部
２４  突出部  
【図１】
2019057614.tif 000003
【図２】
2019057614.tif 000004
【図３】
2019057614.tif 000005
【図４】
2019057614.tif 000006
【図５】
2019057614.tif 000007
【図６】
2019057614.tif 000008
【図７】
2019057614.tif 000009
【図８】
2019057614.tif 000010
【図９】
2019057614.tif 000011
【図１０】
2019057614.tif 000012
【図１１】
2019057614.tif 000013
【図１２】
2019057614.tif 000014
【図１３】
2019057614.tif 000015